(57)【要約】【課題】フライホイール内からの空気の吐き出しを十分に行えるフライホイール磁石発電機を得る。【解決手段】フライホイール１の筒部１ａの外周にリブ４を突設する。フライホイール１の回転時にリブ４が形成する負圧域５の筒部１ａに貫通孔６を設ける。【選択図】  図１
2004173436.tif 000002
【特許請求の範囲】
【請求項１】
筒部の軸心方向の一端が底板で閉塞され、前記底板の中心から前記筒部内にボス部が突出されたフライホイールと、前記筒部の内周に固定された永久磁石とを備えてロータが構成され、電機子鉄心の凸極部を前記永久磁石に対向させていて該凸極部に電機子コイルを巻装してステータが構成されているフライホイール磁石発電機において、
前記フライホイールの前記筒部の外周にリブが突設され、前記フライホイールの回転時に前記リブが形成する負圧域の前記筒部に貫通孔が設けられていることを特徴とするフライホイール磁石発電機。
【請求項２】
前記リブが信号検出用突起を兼ねていることを特徴とする請求項１に記載のフライホイール磁石発電機。
【発明の詳細な説明】
【０００１】
【発明の属する技術分野】
本発明は、フライホイール磁石発電機に関するものである。
【０００２】
【従来の技術】
従来のフライホイール磁石発電機は、図３（Ａ）（Ｂ）に示すように、筒部１ａの軸心方向の一端が底板１ｂで閉塞され、底板１ｂの中心から筒部１ａ内にボス部１ｃが突出されたフライホイール１と、筒部１ａの内周に固定された永久磁石２とを備えてロータ３が構成され、図示しないが電機子鉄心の凸極部を永久磁石２に対向させていて該凸極部に電機子コイルを巻装してステータが構成されている。フライホイール１の底板１ｂの外面には、放射状にリブ４が突設されている。フライホイール１の回転時にリブ４が形成するハッチングで示した負圧域５の範囲の底板１ｂに貫通孔６が設けられている（例えば、特許文献１参照。）。
【０００３】
このようなフライホイール磁石発電機では、内燃機関の回転軸に取付けられてロータ３が回転すると、底板１ｂの外面に突設されたリブ４により負圧域５が発生し、この負圧域５に開口する貫通孔６からフライホイール１内の空気を底板１ｂの外に吐き出し、その後、フライホイール１の遠心方向に放出する。これによりフライホイール１内の図示しないステータ等の冷却が行われるようになっている。
【０００４】
【特許文献１】
実開平４−３４８６９号（図２）
【０００５】
【発明が解決しようとする課題】
しかしながら、図３（Ａ）（Ｂ）に示すような構造では、空気の吐き出しはフライホイール１の底板１ｂの貫通孔６からフライホイール１の外に出て、その後に遠心方向に流れるので、空気の吐き出し効果が十分でなく、このためフライホイール１内の冷却を十分に行えない問題点があった。
【０００６】
本発明の目的は、フライホイール内からの空気の吐き出しを十分に行えるフライホイール磁石発電機を提供することにある。
【０００７】
【課題を解決するための手段】
本発明は、筒部の軸心方向の一端が底板で閉塞され、底板の中心から筒部内にボス部が突出されたフライホイールと、筒部の内周に固定された永久磁石とを備えてロータが構成され、電機子鉄心の凸極部を永久磁石に対向させていて該凸極部に電機子コイルを巻装してステータが構成されているフライホイール磁石発電機を対象とする。
【０００８】
本発明に係るフライホイール磁石発電機では、フライホイールの筒部の外周にリブが突設され、フライホイールの回転時にリブが形成する負圧域の筒部に貫通孔が設けられていることを特徴とする。
【０００９】
このようなフライホイール磁石発電機では、リブがフライホイールの筒部の外周に突設され、フライホイールの回転時に該リブが形成する負圧域の筒部に貫通孔が設けられているので、フライホイール内の空気は遠心力により該フライホイールの外に一気に効率よく排出される。このため、フライホイール内からの空気の吐き出しを十分に行うことができ、フライホイール内の冷却を十分に効率よく行うことができる。
【００１０】
この場合、リブが信号検出用突起を兼ねていると、信号検出用突起を別に設ける必要がなくなり、フライホイールの構造の簡略化を図ることができる。
【００１１】
本発明では、リブが形成する負圧域に開口する貫通孔は、この貫通孔の全部が負圧域に入るのが好ましいが、この貫通孔の一部が負圧域に入るものも含むものである。
【００１２】
【発明の実施の形態】
図１（Ａ）（Ｂ）は本発明に係るフライホイール磁石発電機の実施の形態の第１例におけるロータの半部縦断面図及び部分底面図である。なお、前述した図３（Ａ）（Ｂ）と対応する部分には、同一符号を付けて示している。
【００１３】
本例のフライホイール磁石発電機では、フライホイール１の筒部１ａの外周と外周側の底部１ｂにリブ４が突設されている。フライホイール１の回転時にリブ４が形成する負圧域５の筒部１ａに貫通孔６が設けられている。この場合、リブ４はフライホイール１の回転信号を発生する信号検出用突起を兼ねている。この信号検出用突起に対向する位置に、図示しない信号発生コイルが配置されている。その他の構成は、前述した図３（Ａ）（Ｂ）と同様になっている。
【００１４】
このようなフライホイール磁石発電機では、リブ４がフライホイール１の筒部１ａの外周に突設され、フライホイール１の回転時に該リブ４が形成する負圧域５の筒部１ａに貫通孔６が設けられているので、フライホイール１内の空気は該フライホイール１の遠心方向に一気に効率よく排出される。このため、フライホイール１内からの空気の吐き出しを十分に行うことができ、フライホイール１内の冷却を十分に効率よく行うことができる。
【００１５】
また、リブ４が信号検出用突起を兼ねているので、信号検出用突起を別に設ける必要がなくなり、フライホイール１の構造の簡略化を図ることができる。
【００１６】
図２（Ａ）〜（Ｃ）は本発明に係るフライホイール磁石発電機の実施の形態の第２例におけるロータの半部縦断面図、部分底面図及び図２（Ｂ）のＺ方向矢視図である。なお、前述した図３（Ａ）（Ｂ）と対応する部分には、同一符号を付けて示している。
【００１７】
本例のフライホイール磁石発電機では、第１例の構造で、リブ４と貫通孔６とを有するフライホイール１が一体成形で形成されている。その他の構成は、第１例と同様になっている。
【００１８】
このような構造でも、第１例と同様な効果を得ることができる。
【００１９】
【発明の効果】
本発明に係るフライホイール磁石発電機では、リブがフライホイールの筒部の外周に突設され、フライホイールの回転時に該リブが形成する負圧域の筒部に貫通孔が設けられているので、フライホイール内の空気は遠心力により該フライホイールの外に一気に効率よく排出される。このため、フライホイール内からの空気の吐き出しを十分に行うことができ、フライホイール内の冷却を十分に効率よく行うことができる。
【００２０】
この場合、リブが信号検出用突起を兼ねていると、信号検出用突起を別に設ける必要がなくなり、フライホイールの構造の簡略化を図ることができる。
【図面の簡単な説明】
【図１】（Ａ）（Ｂ）は本発明に係るフライホイール磁石発電機の実施の形態の第１例におけるロータの半部縦断面図及び部分底面図である。
【図２】（Ａ）〜（Ｃ）は本発明に係るフライホイール磁石発電機の実施の形態の第２例におけるロータの半部縦断面図、部分底面図及び図２（Ｂ）のＺ方向矢視図である。
【図３】従来のフライホイール磁石発電機のロータの部分底面図及び半部縦断面図である。
【符号の説明】
１  フライホイール
１ａ  筒部
１ｂ  底板
１ｃ  ボス部
２  永久磁石
３  ロータ
４  リブ
５  負圧域
６  貫通孔
【図１】
2004173436.tif 000003
【図２】
2004173436.tif 000004
【図３】
2004173436.tif 000005